(57)【要約】【課題】安定的に湯呑やコーヒーカップに取り付けることができ、抽出時にコーヒー粉等が外に飛び散ることが無く、しかも、抽出後、湯呑やコーヒーカップの開口部に取り付けたままでお茶やコーヒーを飲むことができるドリップパックを提供すること。【解決手段】湯呑やコーヒーカップの開口縁に取り付けるドリップパック１０であって、不織布を材料とする略三角柱形状のフィルター２０と、フィルター２０の開口縁であって、湯呑やコーヒーカップの開口縁に接しない部分に設置された形状維持部材３０と、フィルター２０の開口縁であって、湯呑やコーヒーカップの開口縁に接した部分を開閉軸として開閉自在な蓋部４０と、フィルター２０の開口縁の端部であって、湯呑やコーヒーカップの開口縁に接した二箇所に設置した固定部材５０とからなるドリップパック１０とした。【選択図】図１
0003200732.tif 000002
【実用新案登録請求の範囲】
【請求項１】
湯呑やコーヒーカップの開口縁に取り付けるドリップパックであって、
不織布を材料とする略三角柱形状のフィルターと、
前記フィルターの開口縁であって、湯呑やコーヒーカップの開口縁に接しない部分に設置された形状維持部材と、
前記フィルターの開口縁であって、湯呑やコーヒーカップの開口縁に接する部分を開閉軸として開閉自在な蓋部と、
前記フィルターの開口縁の端部であって、湯呑やコーヒーカップの開口縁に接した二箇所に設置した固定部材とからなるドリップパック。
【請求項２】
前記蓋部は、略中心線に沿って切り込みを入れることにより分離していることを特徴とする請求項１に記載のドリップパック。
【請求項３】
前記蓋部は不織布を材料としており、さらに、前記フィルターの開口部よりも面積が大きいため、前記フィルターの開口部全面を覆ってしまうことを特徴とする請求項１に記載のドリップパック。
【請求項４】
前記形状維持部材、及び固定部材は一体化されており、さらに、コーヒーカップの取手等に巻き付けることができる程度の十分な長さを有することを特徴とする請求項１乃至請求項３のいずれかに記載のドリップパック。
【考案の詳細な説明】
【技術分野】
【０００１】  本考案は、湯呑やコーヒーカップ等の開口縁に取り付けてから、熱湯を注ぐことによりコーヒーをドリップし、お茶や紅茶等を抽出するドリップパックに関する。さらに言えば、安定的に湯呑やコーヒーカップ等に取り付けることができ、ドリップ時や抽出時にコーヒー粉等が外に飛び散ることが無く、しかも、抽出後、湯呑やコーヒーカップ等の開口縁に取り付けたままで飲むことができるドリップパックに関する。
【背景技術】
【０００２】  近年においては、コーヒーメーカを使用することなく、予め一杯分の量のコーヒー粉（レギュラーコーヒー）が、フィルター製の袋の中に入っており、袋を開け、コーヒーカップの開口上部に設置してから、熱湯を注いでコーヒーを抽出する、または、コーヒーカップ内に設置してから、熱湯を注いでコーヒーを抽出することで家庭でも簡単に本物志向の美味しいコーヒーが飲める簡易ドリップパック（１杯抽出タイプ）が急速にコーヒー市場を拡大している。一方、お茶や紅茶は葉っぱを乾燥させたものから熱湯を注いで抽出していた。【０００３】  ドリップパックをコーヒーカップの開口上部に設置する方式は、ドリップパックから抽出したコーヒーを少しずつ落下させて（「ドリップさせて」）コーヒーカップ内に溜める方式である。ドリップさせるためには、ドリップパックの位置をコーヒーカップ面よりも、さらに高い位置に設置する必要があり、そもそも安定性が無く、それ故、ドリップパックを安定的に設置するための複雑な構造により、取り付けに手間が掛かっていた。しかも、熱湯を注ぐ位置は、コーヒーカップ面よりも高い位置になってしまうため、コーヒー抽出時において、熱湯が注がれたドリップパックが安定性を失って、コーヒーカップから外れてしまうことがあった。【０００４】  コーヒーカップから外れなかったとしても、抽出時に注いだ熱湯の勢い等により、フィルター製の袋の開口した箇所からコーヒー粉が飛び出し、或いは、熱湯を注ぎ過ぎてしまいドリップパックから溢れ、コーヒー粉ごと溢れ出てしまうこともあった（お茶や紅茶に置き換えても同様である）。一方、コーヒーカップ内に入れて使用する方式では、ドリップパックをコーヒーカップに取り付ける際の安定性は、取り付ける位置がドリップ方式よりも低いため、比較的高いものの、フィルター製の袋を通して、ドリップパック内に注いだ熱湯が出入りするため、抽出に時間を要し、しかも、充分な抽出が得られないことがあった。さらに言えば、従来技術によるドリップパックにおいては、ドリップパックをコーヒーカップに設置したままコーヒーを飲むことができなかった。【０００５】  本考案に関連する技術として、特許文献１の如く、「防水耐熱性に優れ且つ真空パック又は完全密封に適した素材でできた外袋の中に、コーヒーのドリップに適した通水性に優れた内袋を入れ、更に、その内袋の中にコーヒー粉を入れたうえで、外袋の横辺の上部に設けた凸部を内側に折り、内袋の横辺の上部に設けた凸部を被包し固着させ、外袋の開口部を真空パック又は完全密封して閉じる用にした容器。使用時には外袋の両側面に設けた引き手兼支持脚を利用し内袋も同時に開封可能とし更に前記支持脚を利用してコーヒーカップ等の上に前記容器を自立可能とした。また内袋に設けた切取線で外袋と内袋とを分離して捨てられるようした。（特許文献１：解決手段）。」が開示されていた。【０００６】  さらに、特許文献２の如く、「・・・下辺と折り目辺である下辺を下方に位置し上端角部を上に位置して上辺側と上辺側の二辺を開放し全体が逆円すい形の袋部を形成するため上端部と側端部側には袋部の背面側と前面側のシート材料にミシン目をそれぞれ設けて、この上辺と上辺の二辺の側を開き一体��開放口を構成して逆円すい形の袋部としている支持体と支持体は中心軸と外周枠全体がシート材料の外壁面に貼着されており左右対称の２個の係止片は各、折り曲げ線から図４に示す様に外側から開きシート材料の外壁面から伸び出てカップの口部をとらえ係止片の先端側がカップの外側に位置させて使用すり以上からなることを特徴としたドリップバッグ（特許文献２：請求項１から抜粋）。」が開示されていた。
【先行技術文献】
【特許文献】
【０００７】
【特許文献１】  特開２００６−１２２６２６号公報
【特許文献２】  特開２０１３−２３６８８６号公報
【考案の概要】
【考案が解決しようとする課題】
【０００８】  特許文献１に係る簡易コーヒードリッパー（特許文献１：発明の名称）は、ドリップパックから抽出したコーヒーを少しずつ落下させて（「ドリップさせて」）コーヒーカップ内に溜める方式によるドリップパックである。特許文献１に係るドリップパックは、コーヒーカップの開口縁の上に自立可能な構成となっている。ただ単に、ドリップパックをコーヒーカップの開口縁の上に置いているだけであるので、設置状態が不安定であり、特に、屋外等の風が吹くような場所で使用することができない。そして、ドリップパックをコーヒーカップに設置したままコーヒーを飲むことができないという欠点があった。【０００９】  特許文献２に係るドリップバック（特許文献２：発明の名称）は、コーヒーカップ内に入れて使用する方式によるドリップパックである。ドリップパックをコーヒーカップに比較的安定して取り付けることができるが、フィルターの大部分がコーヒーカップ内に位置しているため、フィルターを通して、ドリップパック内に注いだ熱湯が出たり入ったりするため抽出に時間を要し、しかも、充分な抽出が得られないことがあった。そして、特許文献１と同様に、ドリップパックをコーヒーカップに設置したままコーヒーを飲むことができないという欠点があった。【００１０】  本考案の目的は、安定的に湯呑やコーヒーカップに取り付けることができ、抽出時にコーヒー粉等が外に飛び散ることが無く、しかも、抽出後、湯呑やコーヒーカップの開口縁に取り付けたままでお茶やコーヒーを飲むことができるドリップパックを提供することにある。
【課題を解決するための手段】
【００１１】  請求項１に記載した考案は、湯呑やコーヒーカップの開口縁に取り付けるドリップパックであって、不織布を材料とする略三角柱形状のフィルターと、前記フィルターの開口縁であって、湯呑やコーヒーカップの開口縁に接しない部分に設置された形状維持部材と、前記フィルターの開口縁であって、湯呑やコーヒーカップの開口縁に接する部分を開閉軸として開閉自在な蓋部と、前記フィルターの開口縁の端部であって、湯呑やコーヒーカップの開口縁に接した二箇所に設置した固定部材とからなるドリップパックであることを特徴とするものである。【００１２】  請求項２に記載した考案は、請求項１に記載した考案において、前記蓋部は、略中心線に沿って切り込みを入れることにより分離しているドリップパックであることを特徴とするものである。【００１３】  請求項３に記載した考案は、請求項１に記載した考案において、前記蓋部は不織布を材料としており、さらに、前記フィルターの開口部よりも面積が大きいため、前記フィルターの開口部全面を覆ってしまうドリップパックであることを特徴とするものである。【００１４】  請求項４に記載した考案は、請求項１乃至請求項３に記載したいずれかの考案において、前記形状維持部材、及び固定部材は一体化されており、さらに、コーヒーカップの取手等に巻き付けることができる程度の十分な長さを有するドリップパックであることを特徴とするものである。
【考案の効果】
【００１５】  本考案によれば、フィルターの開口縁の端部であって、湯呑やコーヒーカップの開口縁に接した二箇所に設置した固定部材により、ドリップパックを湯呑やコーヒーカップに安定的に取り付けることができるため、湯呑やコーヒーカップにドリップパックを取り付けたままコーヒーを飲むことができるドリップバックを提供することができるようになった。さらに、形状維持部材、及び固定部材は一体化することも可能であり、コーヒーカップの取手等に巻き付けることができる程度の十分な長さを有することができるため、コーヒーカップの取手等に巻き付けることにより、取り付け時、抽出時におけるさらなる安定化を図ることができる。【００１６】  そして、フィルターの開口縁であって、湯呑やコーヒーカップの開口縁に接した部分を開閉軸として開閉自在で、かつ、略中心線に沿って切り込みを入れることにより分離している蓋部により、蓋部を閉じた状態で、蓋部の湯呑やコーヒーカップの開口縁に接しない部分の先端付近に熱湯を注ぐことができる程度の隙間が生じさせつつ、抽出時にコーヒー粉等が外に飛び散ることが無くなった。蓋部の素材をフィルターと同じ素材にすることで、蓋をしたままで、コーヒー等を抽出するために、熱湯を注ぐこともできるようになった。しかも、フィルターの開口縁であって、湯呑やコーヒーカップの開口縁に接しない部分に設置された形状維持部材により、抽出する際、フィルター開口部が変形することが無く、安定的に熱湯を注ぐことができるようになった。【００１７】  さらに、ドリップパックを湯呑やコーヒーカップ内に入れて使用する方式では、フィルターを通してパック内にお湯が出入するため抽出に時間を要しており、しかも、充分な抽出が得られないため、風味等に欠点があったが、本考案に係るドリップパックは、フィルターの開口縁の端部であって、湯呑やコーヒーカップの開口縁に接した二箇所に設置した固定部材により、ドリップパックを高い位置に固定され熱湯に浸かってしまう容積を最小限にすることができるので、抽出したコーヒー等が、フィルターを出入りすることなく十分な抽出ができるようになった。
【図面の簡単な説明】
【００１８】
【図１】  ドリップパックの全体図である。
【図２】  ドリップパックの使用状態を表す図である。
【考案を実施するための形態】
【００１９】＜ドリップパックの構造＞
以下、本考案に係るドリップパック１０の実施例（主として、コーヒーについて説明する）について、図１〜図２を参照しつつ詳細に説明する。図１は、本考案に係るドリップパック１０の全体図である。
【００２０】  本考案に係るドリップパック１０は、わざわざ、コーヒーメーカ等を使用することなく、気軽にコーヒーを抽出するために、コーヒーカップの開口縁に設置することができるように設計されたドリップパックである。図１に記載したように、コーヒーを抽出するために不可欠な不織布を材料とする略三角柱形状をした、コーヒー注ぐための開口、及び底を有するフィルター２０と、フィルター２０の開口縁であって、抽出時において、コーヒーカップの開口縁に接しない部分に設置された形状維持部材３０と、フィルター２０の開口縁であって、コーヒーカップの開口縁に接した部分を開閉軸として開閉自在で、略中心線に沿って切り込みを入れることにより分離している蓋部４０と、フィルター２０の開口縁の端部であって、コーヒーカップの開口縁に接した二箇所に設置した固定部材５０とから構成されている。
【００２１】  フィルター２０の素材は、いわゆる不織布であり、繊維を一定方向やランダムに集積して接着樹脂で化学的に結合させたり、機械的に絡ませたり、圧力をかけた水流で絡ませたり、熱融着繊維で結合させて製造する。不織布製フィルターは、コーヒー粉を、熱湯を注いで濾過することによりコーヒーを抽出するものであり、コーヒー抽出時に破れない程度の強度を有している。また、形状維持部材３０、及び固定部材５０の素材は、直径０．５ｍｍ〜１．５ｍｍ程度の針金であり、表面にビニールや、樹脂フィルム等を巻くことにより被覆している。
【００２２】＜ドリップパックの使用方法＞
図２は、ドリップパックの使用状態を表す図である。図２に記載したように、本考案に係るドリップパック１０を、コーヒーカップに取り付ける際は、固定部材５０を略コの字形に曲げて、コーヒーカップの開口縁に取り付ける。固定部材５０が、コーヒーカップの取手等に巻き付けることができる程度の十分な長さを有している場合は、コーヒーカップの取手に巻き付けることで、さらに、安定的に固定することもできる。コーヒーを抽出する際は、不織布を材料とする略三角柱形状をした、コーヒー注ぐための開口、及び底を有するフィルター２０に熱湯を注ぎ込む。この際、略中心線に沿って切り込みを入れることにより分離している蓋部は、コーヒーカップの開口縁の曲線部分に合わせてから、図２の矢印の方向に閉じるようにして蓋をすると、蓋部を閉じた状態で、蓋部のコーヒーカップの開口縁に接しない部分の先端付近に熱湯を注ぐことができる程度の隙間が生じている。
【００２３】＜ドリップパックの効果＞
本考案によれば、フィルター２０の開口縁の端部であって、コーヒーカップの開口縁に接した二箇所に設置した固定部材５０を略コの字形に曲げてコーヒーカップに取り付ける。かかる構成であれば、ドリップパックをコーヒーカップに安定的に取り付けることができる。かかる構成であれば、ドリップパックは、かなり安定してコーヒーカップに取り付けられているため、コーヒーカップにコーヒーバックを取り付けたままコーヒーを飲むことができる。
【００２４】  さらに、コーヒーカップの開口縁に接しない部分に設置された形状維持部材３０、及び固定部材５０は一体化することも可能であり、形状維持部材３０と固定部材５０（針金の表面に樹脂フィルム等を巻いたもので構成される。）をコーヒーカップの取手等に巻き付けることができる程度の十分な長さを有することもできるため、コーヒーカップの取手等に巻き付けることにより、コーヒー抽出時におけるさらなる安定化を図ることができる。即ち、コーヒーカップにドリップパック１０を取り付けたまま、ドリップパック１０が外れることを全く気にせずにコーヒーを飲むことができる。
【００２５】  そして、フィルター２０の開口縁であって、コーヒーカップの開口縁に接した部分を開閉軸として開閉自在で、略中心線に沿って切り込みを入れることにより分離している蓋部４０を設置することにより、蓋部のコーヒーカップの開口縁に接しない部分の先端付近に熱湯を注ぐことができる程度の隙間が生じつつも、コーヒー抽出時にコーヒー粉が外に飛び散ることが無くなった。蓋部４０の素材をフィルターと同じ素材にすることで、少量ずつであれば、蓋をした状態で隙間の無い部分であっても、コーヒーを抽出するために、熱湯を注ぐこともできるようになった。しかも、フィルター２０の開口縁であって、コーヒーカップの開口縁に接しない部分に設置された形状維持部材３０により、コーヒー抽出する際、フィルター２０開口部が熱や湿気により変形することが無く、安定的に熱湯を注ぐことができるようになった。
【００２６】  さらに、ドリップパックをコーヒーカップ内に入れて使用する方式では、フィルター２０を通してドリップパック内にお湯が出入するため抽出に時間を要しており、充分な抽出効果が得られないため、風味等に欠点があったが、本考案に係るドリップパック１０は、フィルター２０の開口縁の端部であって、コーヒーカップの開口縁に接した二箇所に設置した固定部材５０により、高い位置に固定され、抽出時において、抽出されたコーヒーに浸かってしまう容積を最小限にすることができるので、抽出したコーヒーが、殆どフィルター２０を出入りすることなく十分な抽出ができるようになった。
【００２７】＜ドリップパックの変更例＞
本考案に係るドリップパック１０の構成は、上記実施形態の態様に何ら限定されるものではなく、フィルター２０、形状固定部材３０、蓋部４０、固定部材５０等の構成を、本考案の趣旨を逸脱しない範囲で、必要に応じて適宜変更することができる。
【産業上の利用可能性】
【００２８】  本考案に係るドリップパックは、上記の如く優れた効果を奏するものであるので、湯呑やコーヒーカップの開口縁に取り付けてから、熱湯を注ぐことによりお茶やコーヒー等を抽出するドリップパックに関する分野において好適に用いることができる。
【符号の説明】
【００２９】  １０・・ドリップパック
２０・・フィルター
３０・・形状維持部材
４０・・蓋部
５０・・固定部材
【図１】
0003200732.tif 000003
【図２】
0003200732.tif 000004